(57)【要約】      （修正有）【課題】ＩＰ測定作業を自動で行うことができる転写マスク用ＩＰ測定装置を提供する。【解決手段】転写用マスクとこれを保持するチャックとの２つを一体とした、あるは、前記２つとこれらを載置するためのアダプタとの３つを一体とした、一体部材８０の形態を維持しながら、全ての作業動作を行うもので、静電吸着用として、前記チャックへ所定の電圧を供給する電圧供給用の電源６０を設け、電源からチャックに電圧を供給する回路を、複数６１、６２、６３配し、各回路は、それぞれ、チャックが移動する全経路の一部で、チャックへの静電吸着用の電圧の供給を分担し、あわせて、全経路に渡り、チャックの静電吸着用の電圧を供給し続けるものである。【選択図】図１
2006093403.tif 000002
【特許請求の範囲】
【請求項１】
荷電粒子線転写装置、極端紫外線転写装置、Ｘ線縮小投影転写装置の中から選ばれたいずれか１の露光転写装置において静電吸着方式のチャックで保持して用いられる転写用マスクを、所定の静電吸着方式のチャックで保持して、そのＩＰ（Ｉｍａｇｅ  Ｐｌａｃｅｍｅｎｔ）測定を行うＩＰ測定装置であって、転写用マスクとこれを保持する前記所定の静電吸着方式のチャックとの２つを一体とした、あるいは、前記２つとこれらを載置するためのアダプタとの３つを一体とした、一体部材の形態を維持しながら、全ての作業動作を行うもので、静電吸着用として、前記チャックへ所定の電圧を供給する電圧供給用の電源を設け、電源からチャックに電圧を供給する回路を、複数配し、各回路は、それぞれ、チャックが移動する全経路の一部で、チャックへの静電吸着用の電圧の供給を分担し、あわせて、全経路に渡り、チャックの静電吸着用の電圧を供給し続けるものであることを特徴とする転写用マスクのＩＰ測定装置。
【請求項２】
請求項１に記載の転写用マスクのＩＰ測定装置であって、前記一体部材をその上に載置する位置制御されたＸ−Ｙステージと、前記Ｘ−Ｙステージの位置を移動して、Ｘ−Ｙステージ上に前記一体部材の形態で載置された転写マスクの各位置のＩＰ測定を行う測定部と、複数の前記転写用マスクを、それぞれ別個に、前記一体部材の形態で、トレイ（ホルダー）に載置しておくためのマガジンと、マガジン側からＸ−Ｙステージ側に、あるいは、Ｘ−Ｙステージ側からマガジン側に、前記転写用マスクを、一体部材の形態で搬送するための搬送部とを、備えているもので、チャックへの電圧供給用の電源を１つ設け、該電源からチャックに電圧を供給する回路として、前記トレイに付随してその配線部分が配され、トレイ側から供給する第１の回路と、前記搬送部に付随してその配線部分が配され、搬送部側から供給する第２の回路と、前記Ｘ−Ｙステージに付随してその配線部分が配され、Ｘ−Ｙステージ側から供給する第３の回路とを配しており、第１の回路は、転写用マスクを前記一体部材の形態とし、マガジンまでの所定の搬入経路およびマガジンからの所定の搬出経路において、第２の回路は、前記搬送部にて搬送する経路において、第３の回路は、Ｘ−Ｙステージで移動する経路において、それぞれ、チャックの静電吸着用の電圧を供給するものであることを特徴とする転写用マスクのＩＰ測定装置。
【請求項３】
請求項２に記載の転写用マスクのＩＰ測定装置であって、前記搬入経路は、転写用マスクを前記一体部材とするための操作の助けとなるセット部からマガジンまでの経路であることを特徴とする転写用マスクのＩＰ測定装置。
【請求項４】
請求項１ないし３のいずれか１項に記載の転写用マスクのＩＰ測定装置であって、測定部は、ＣＣＤカメラを撮像装置として備え、且つ、ＣＣＤカメラにより撮像された画像に対し画像処理を施し、各位置を把握する画像処理部を備えていることを特徴とする転写用マスクのＩＰ測定装置。
【請求項５】
請求項２ないし４のいずれか１項に記載の転写用マスクのＩＰ測定装置であって、前記搬送部は、腕部が伸縮する搬送用ホークと、該搬送用ホークの方向を回転移動させる回転部とを備えた自動搬送部（搬送ロボットとも言う）であり、搬送用ホークには、第２の回路の配線部部分が配され、該配線部分を経由してチャックに電圧を供給するものであることを特徴とする転写用マスクのＩＰ測定装置。
【請求項６】
請求項１ないし５のいずれか１項に記載の転写用マスクのＩＰ測定装置であって、前記一体部材は、転写用マスクとこれを保持するチャックとこれらを載置するためのアダプタとの３つを一体としたもので、転写用マスクをその主面側にて静電吸着方式のチャックで保持して、転写用マスク全体を吊り下げ、且つ、チャックがアダプタの上に載置されているものであり、少なくとも１つ以上の回路が、いずれも、アダプタの下面側にて前記電源側と接続し、アダプタの面方向に沿って配設されてその側面にいたる配線部を有するもので、且つ、前記配線部を介して、チャックの側面側にてチャックの電極と接続しており、また、前記各回路の接続、遮断を行うための、取り外しができる接続部を、アダプタの下面に設けていることを特徴とする転写用マスクのＩＰ測定装置。
【請求項７】
荷電粒子線転写装置、極端紫外線転写装置、Ｘ線縮小投影転写装置の中から選ばれたいずれか１の露光転写装置において静電吸着方式のチャックで保持して用いられる転写用マスクを、所定の静電吸着方式のチャックで保持して、そのＩＰ（Ｉｍａｇｅ  Ｐｌａｃｅｍｅｎｔ）測定を行うＩＰ測定装置における、チャックへの静電吸着用電圧の供給方法であって、静電吸着用として、前記所定の静電吸着方式のチャックへ所定の電圧を供給する電圧供給用の電源を設け、電源からチャックに電圧を供給する回路を２以上設け、各回路が、それぞれ、チャック搬送経路全体の各所定の経路において、電圧供給を分担し、搬送経路全体において電圧を供給し続けるもので、回路の電圧供給分担が変わる前記各所定の経路の交点箇所において、該交点箇所の前後を分担する２つの回路からの電圧供給をオーバラップさせることを特徴とする静電吸着方式のチャックへの静電吸着用電圧の供給方法。
【請求項８】
請求項７に記載の静電吸着方式のチャックへの静電吸着用電圧の供給方法であって、電圧供給用の電源を１つとし、該電源から各回路へ電圧を供給するものであることを特徴とする静電吸着方式のチャックへの静電吸着用電圧の供給方法。
【発明の詳細な説明】
【技術分野】
【０００１】
本発明は、荷電粒子線転写装置、極端紫外線転写装置、Ｘ線縮小投影転写装置の中から選ばれたいずれか１の露光転写装置において静電吸着方式のチャックで保持して用いられる転写用マスクのＩＰ測定を行うＩＰ測定装置と、該ＩＰ測定装置における静電吸着方式のチャックへの静電吸着用電圧の供給方法に関する。
【背景技術】
【０００２】
近年、半導体デバイスの回路の高集積化要求は強く、現在量産に用いられている光リソグラフィに対し次世代リソグラフィ技術が種々開発されている。
その一環として、電子線を用いて所望の形状をウェハ上に露光転写する電子線露光転写型リソグラフィ技術として、加速電圧１００ｋＶ程度の高エネルギー電子ビームを用いてマスクの絵柄をウエハ上に縮小投影するＥＰＬ（Ｅｌｅｃｔｒｏｎ- ｂｅａｍ  Ｐｒｏｊｅｃｔｉｏｎ  Ｌｉｔｈｏｇｒａｐｈｙ）方式や、加速電圧２ｋＶ程度の低エネルギー電子ビームを用いてマスクの絵柄を等倍で近接露光転写するＬＥＥＰＬ（Ｌｏｗ  Ｅｎｅｒｇｙ  Ｅｌｅｃｔｒｏｎ−ｂｅａｍ  Ｐｒｏｘｉｍｉｔｙ  Ｐｒｏｊｅｃｔｉｏｎ  Ｌｉｔｈｏｇｒａｐｈｙ）方式が開発されている。
【０００３】
ＥＰＬ方式では、例えば、電子ビームを露光光源として用いた図１０に概略構成を示す露光転写装置にて、被露光基板であるレジスト塗布済みウエハ３５０上に、それに用いられる転写用のマスク（以下、ＥＰＬマスクとも言う）３７０の貫通孔の絵柄が縮小投影されて、絵柄が形成される。
図１０の装置において、電子ビームは、照射レンズ系３１２ａに制御され、ＥＰＬマスク３７０を照射し、ＥＰＬマスクを通過した後、投影レンズ系３１２ｂに制御され、レジスト塗布済みウエハ３５０上にＥＰＬマスク３７０の絵柄が縮小投影される。
ここでは、ＥＰＬマスク３７０のメンブラン３７１の開口部（貫通孔部とも言う）を通った電子は像形成に寄与するが、メンブラン３７１の非開口部を通った電子は、散乱体であるメンブランにより散乱され、像形成には寄与しない。
尚、図１０に示す装置には、メンブラン３７１の開口部を通った電子はカットせず、メンブラン３７１の非開口部を通り散乱された電子をカットする、アパーチャが備え付けられているが、ここでは簡略化するために図示していない。
ここで用いられるＥＰＬマスク３７０は、ステンシル型マスクと呼ばれ、従来、薄いメンブランを電子ビーム散乱層として、それを孔開け加工してパターンを形成しているもので、この方式では回路パターンはマスク上では多数の分割された小領域（以下サブフィールドと呼ぶ）上に配置され、例えば、１ｍｍ×１ｍｍの正方形電子ビームを照射して、サブフィールドを一括転写する。
尚、ＥＰＬマスクには、ステンシル型マスクの他に連続メンブラン型マスクがある。
それは、メンブランが２層以上から成り、１層が連続体であり、もう１層がパターン形成された構造を有するものである。
しかし、本発明の説明では、ステンシル型マスクと連続メンブラン型マスクで差がないので、以下ではステンシル型マスクのみに言及する。
この方式では、サブフィールド毎に、貫通孔パターンによって成形された電子ビームを被露光基板であるレジスト塗布済みウエハ上に、一括して縮小投影し、被露光基板上にて各サブフィールドからの一括投影像をつなぎ合わせて、所望のパターンを形成する。（特許文献１参照）
【０００４】
ＥＰＬマスク（図１０の３７０）は、一般に、２００ｍｍ径のシリコン基板を主材料として形成され、シリコン基板を支持枠とし、マスク表面側に設けた厚さ２μｍ程度のシリコン薄膜（メンブラン３７１と言う）に電子ビームが通過する貫通孔を設けてパターンとし、パターン領域の各サブフィールド間を裏側からストラット（ｓｔｒｕｔ）３７２と称する、高さ７２５μｍ、厚さ１７０μｍ程度の壁状の支柱で補強することにより、パターン領域の撓みを低減し、パターン位置精度の向上を図っている。
図１１（ｂ）に示すように、メンブラン４７１の一面に設けられたストラット４７２と呼ばれる壁状の支柱に仕切られ、メンブラン４７１の領域をサブフィールドに分割しており、ストラット４７２側から見た外観は図１１（ａ）のようになる。
そして、図１０に示すように、ＥＰＬマスク３７０は、そのストラット３７２側を上（照射レンズ系３１２ａ側）として設置して電子ビームをこれに照射する。
この理由は、貫通孔パターンによって形成された電子ビームの、ストラット３７２による散乱に起因する解像性低下を防止するためである。
【０００５】
ＥＰＬマスクは、このように、ストラット３７２側を上（照射レンズ系３１２ａ側）として、メンブラン側を固定しているが、真空中で固定を行うため、その固定方法としては、従来から光露光用に広く用いられている真空吸着方式は採用できず、静電力を利用した静電吸着方式が採られている。
図１０に示すＥＰＬマスク３７０は、例えば、拡大して示すと、図５のように（図５では２７０）、樹脂やセラミックス等の絶縁材層中に電極２８１を配設したチャック２８０をさらに固定部材２８５で支持して、チャック２８０に電圧をかけてメンブラン２７１側を静電的に保持固定している。
このようなＥＰＬマスク（図１０の３７０）に対する位置精度の要求は厳しく、例えば、半導体の国際的な技術ロードマップの記載では、２００７年に生産が予定されている６５ｎｍノードにおいて、ＥＰＬマスクに要求される位置精度誤差の許容値は１０ｎｍ以下である。（非特許文献１参照）
ＥＰＬ方式では、先に述べたように、１ｍｍ×１ｍｍの電子ビームでサブフィールド毎にパターンを転写するため、ＥＰＬマスク上の各サブフィールド位置を示すマークを予め計測しておくことで、その位置誤差を、図１０に示すような転写装置側でビーム偏向等により補正することが可能である。
【０００６】
ＩＰ測定におけるＥＰＬマスクの保持形態としては、測定光学系における測定光は、ＥＰＬマスクのストラット２７２を配設していないメンブラン面側（以下、これを単にメンブラン面側、あるいは主面側と言う）にて使用されるため、従来、図６（ａ）に示すように、ＥＰＬマスク２７０のメンブラン２７１面側を静電吸着方式のチャックで吸着して保持し、固定部材（以下、アダプタとも言う）２８５の下に、ＥＰＬマスク２７０全体を保持して、メンブラン２７１面側を上として吊り下げる形態のもの、あるいは、図６（ｂ）に示すように、ＥＰＬマスク２７０のメンブラン２７１面側の反対側を静電吸着方式のチャックで吸着して保持し、固定部材２８５の上にＥＰＬマスク２７０全体を保持して、メンブラン２７１を上として保持する形態のものが採られていた。
尚、このような形態をとらざるを得ないのは、現状のＩＰ測定装置が、従来のフォトマスクＩＰ測定装置と同じく、（測定装置が複雑にならないために、）上側（天側）から測定光を当てる方式を採っているという制約による。
しかし、図１０に示すＥＰＬマスクの使用時と同じく、メンブラン面で、静電吸着してチャックに保持しておくことが、転写時とＩＰ測定時との位置精度の相関性の面から必要となることが最近分かってきため、図６（ａ）に示す、メンブラン側吸着保持でメンブラン２７１側を上として、全体を固定部材２８５に保持する形態での、ＩＰ測定が要求されるようになってきた。（非特許文献２）
図１０に示す露光転写装置におけるＥＰＬマスクの保持形態は、メンブラン３７１側が下であり、また、図６（ａ）に示すＩＰ測定時におけるＥＰＬマスクの保持形態は、メンブラン２７１側が上という点で異なるが、ＥＰＬマスクを静電気吸着方式のチャックに吸着したままで、チャックを固定部材に保持させて、はずさないという条件下でＩＰ測定、露光転写装置で使用することを前提とすれば、両形態におけるＩＰの相関は重力の影響を考慮した計算により補正できる程度のものであり、また、図６（ａ）に示す保持形態におけるＩＰ測定データから、図１０の転写装置における保持状態に対して転写される投影像の位置を電磁気的に制御して補正することができることが最近では分かっている。
図６中、２７５はストラット領域に設けられた位置測定用のマークであるＩＰ測定用マークを示している。
ここでは、ＩＰ測定用マークの位置測定をＩＰ測定と言い、これにより、ＥＰＬマスクの撓み等による変形の影響度合を知ることができる。
図６、図１０は、ともに、図の上側を天側、下側を地側として示している。
【０００７】
尚、ＥＰＬマスクは２００ｍｍウエハを加工して作製されるもので、マスクとしての厚さは１ｍｍ程度しかないため、外力により変形しやすいため、その保持方法が異なったり、各保持接触領域の場所、範囲が異なったり、またマスク表面が上向きか下向きか等の方式が異なると、位置精度の誤差量、分布が変わってしまうという問題があった。（非特許文献２、非特許文献３参照）
また、同一の保持機構であっても、吸着操作の手順を適切に制御しないと、吸着状態でのマスクの変形は、再現性が乏しいという問題があった。（特許文献２参照）
ＥＰＬマスクのＩＰ測定に際し、ＩＰ測定前にマスクを一時的に機械的に保持した後に静電吸着方式によるチャックで保持してＩＰ測定を行う方法もあるが、最近、この方法では、機械的保持から静電吸着への切り替えに際しての、チャックに対するマスクの相対位置のずれの発生により、ＩＰ測定の再現性が充分でないことが分かってきた。
【特許文献１】特許第２８２９９４２号公報
【特許文献２】特開２００３−１１５４４２号公報
【非特許文献１】ＩＴＲＳ（Ｉｎｔｅｒｎａｔｉｏｎａｌ  Ｔｅｃｈｎｏｌｏｇｙ  Ｒｏａｄｍａｐ  ｆｏｒ  Ｓｅｍｉｃｏｎｄｕｃｔｏｒｓ）２００２，Ｌｉｔｈｏｇｒａｐｈｙ，Ｔａｂｌｅ  ５９ｃ  ＥＰＬ  Ｍａｓｋ  Ｒｅｑｉｒｅｍｅｎｔｓ，インターネット＜ＵＲＬ：ｈｔｔｐ：//ｐｕｂｌｉｃ．ｉｔｒｓ．ｎｅｔ＞
【非特許文献２】Ｈ．Ｙｍａｍｏｔｏ，ｅｔ  ａｌ．，“Ｄｉｓｔｏｒｔｉｏｎ  ｍａｎａｇｅｍｅｎｔ  ｓｔｒａｔｅｇｙ  ｆｏｒ  ＥＰＬ  ｒｅｔｉｃｌｅ”，Ｐｒｏｃ．ＳＰＩＥ  Ｖｏｌ．５０３７，ｐｐ．９９１−９９８（２００３）
【非特許文献３】Ｏ．Ｒ．Ｗｏｏｄ  ＩＩ，ｅｔ  ａｌ．，“Ｒｅｄｕｃｔｉｏｎ  ｏｆ  ｉｍａｇｅ  ｐｌａｃｅｍｅｎｔ  ｅｒｒｏｒｓ  ｉｎ  ＥＰＬ  ｍａｓｋｓ”，Ｐｒｏｃ．ＳＰＩＥ  Ｖｏｌ．５０３７，ｐｐ．５２１−５３０（２００３）
【０００８】
このように、ＥＰＬマスクの場合、そのＩＰ測定において、種々の制約や問題があり、ＩＰ測定を再現性良く行うことができ、ＩＰ測定の結果を露光転写に反映できるマスクのＩＰ測定方法が求められていたが、そのようなＩＰ測定方法を実施できるＩＰ測定装置が無く問題となっていた。
そして、チャックの静電吸着には数百Ｖ〜ｋＶ程度の電圧が必要とされており、このような高電圧を長い工程間、広い領域で連続的にかけた状態を維持することは難しいが、そのような状態を維持し続けて、チャックにて転写用マスクを吸着保持し続け、人手を用いずに自動で、一連のＩＰ測定のための作業を行うことができるＩＰ測定装置が求められていた。
尚、ＩＰ測定は、一般に、測定系全体を高度な空調（温度、湿度）管理下におき、測定される転写用マスクやチャック、さらにはこれらを保持するアダプタも所定の温度（前記空調の温度）に制御して行われるが、ここで言う、一連のＩＰ測定のための作業とは、このような高度な空調（温度、湿度）管理下でのＩＰ測定のための作業であり、ＩＰ測定作業やその前後の搬送作業、各部への載置作業が含まれる。
【０００９】
また、ＩＰ測定における種々の制約や問題の面ではＥＰＬ方式のマスクとは異なるが、電子線露光転写装置において静電吸着方式によるチャックで保持して転写を行うという面ではＥＰＬ方式のマスクと同じである、ＬＥＥＰＬ方式の転写用マスクにおいても、基本的に、ＩＰ測定における再現性の問題を抱えており、更にまた、極端紫外線転写装置やＸ線縮小投影転写装置における、静電吸着方式によるチャックで保持して露光転写を行う方式の転写用のマスクにおいても、ＩＰ測定における再現性の問題を抱えており、同様に、チャックの静電吸着には数百Ｖ〜ｋＶ程度の電圧が必要とされており、このような高電圧を長い工程間、広い領域で連続的にかけた状態を維持することは難しいが、そのような状態を維持し続けて、チャックにて転写用マスクを吸着保持し続け、人手を用いずに自動で、一連のＩＰ測定のための作業を行うことができるＩＰ測定装置が求められていた。
尚、ＬＥＥＰＬ方式の場合は、詳しい説明は省くが、図１２（ａ）に示すような露光転写装置にて電子銃５１０から放出された電子ビーム５１５を用いて、レジスト塗布済みウエハ５６０へ転写用マスク５７０のパターンが転写される。
ここでは、パターン転写形成に寄与するのはメンブラン５７１の、レジスト塗布済みウエハ５６０側の一面であるが、ＩＰ測定においては、図１２（ｂ）に示すように、パターン転写形成に寄与するの一面を上側にして、上側からの測定光５９０によりＩＰ測定を行う。
また、極端紫外線転写技術においては、転写用マスクは転写装置内およびIP測定装置内において、パターン面と反対側の面で静電吸着方式のチャックに全面吸着されて保持される。
転写装置内での吸着に際し、転写用マスクとチャックとの間に異物が挟まると、その異物が大きい時には、転写マスクのパターン面の面外変形が生じ、そのために露光転写されたパターンの位置ずれが生じることが知られている。
【発明の開示】
【発明が解決しようとする課題】
【００１０】
上記のように、静電吸着方式のチャックで保持されて露光転写装置に用いられるＥＰＬマスクにおいては、ＩＰ測定を再現性良く行うことができるＩＰ測定装置が求められていた。
そして、そのようなＩＰ測定装置で、人手を用いずに自動で一連のＩＰ測定のための作業を行うことができるＩＰ測定装置が求められていた。
本発明は、これらに対応するもので、静電吸着方式のチャックで保持されて露光転写装置に用いられる転写用マスクを、所定の静電吸着方式のチャックで保持して、そのＩＰ測定を行うＩＰ測定装置であって、転写用マスクのＩＰ測定を再現性良く行うことができ、人手を用いずに自動で一連のＩＰ測定のための作業を行うことができるＩＰ測定装置を提供しようとするものである。
特に、そのようなＩＰ測定装置であって、ＥＰＬマスクのＩＰ測定を再現性良く、人手を用いずに自動で一連のＩＰ測定のための作業を行うことができるＩＰ測定装置を提供しようとするものである。
【課題を解決するための手段】
【００１１】
本発明の転写用マスクのＩＰ（Ｉｍａｇｅ  Ｐｌａｃｅｍｅｎｔ）測定装置は、荷電粒子線転写装置、極端紫外線転写装置、Ｘ線縮小投影転写装置の中から選ばれたいずれか１の露光転写装置において静電吸着方式のチャックで保持して用いられる転写用マスクを、所定の静電吸着方式のチャックで保持して、そのＩＰ（Ｉｍａｇｅ  Ｐｌａｃｅｍｅｎｔ）測定を行うＩＰ測定装置であって、転写用マスクとこれを保持する前記所定の静電吸着方式のチャックとの２つを一体とした、あるいは、前記２つとこれらを載置するためのアダプタとの３つを一体とした、一体部材の形態を維持しながら、全ての作業動作を行うもので、静電吸着用として、前記チャックへ所定の電圧を供給する電圧供給用の電源を設け、電源からチャックに電圧を供給する回路を、複数配し、各回路は、それぞれ、チャックが移動する全経路の一部で、チャックへの静電吸着用の電圧の供給を分担し、あわせて、全経路に渡り、チャックの静電吸着用の電圧を供給し続けるものであることを特徴とするものである。
そして、上記の転写用マスクのＩＰ測定用の測定装置であって、前記一体部材をその上に載置する位置制御されたＸ−Ｙステージと、前記Ｘ−Ｙステージの位置を移動して、Ｘ−Ｙステージ上に前記一体部材の形態で載置された転写マスクの各位置のＩＰ測定を行う測定部と、複数の前記転写用マスクを、それぞれ別個に、前記一体部材の形態で、トレイ（ホルダー）に載置しておくためのマガジンと、マガジン側からＸ−Ｙステージ側に、あるいは、Ｘ−Ｙステージ側からマガジン側に、前記転写用マスクを、一体部材の形態で搬送するための搬送部とを、備えているもので、チャックへの電圧供給用の電源を１つ設け、該電源からチャックに電圧を供給する回路として、前記トレイに付随してその配線部分が配され、トレイ側から供給する第１の回路と、前記搬送部に付随してその配線部分が配され、搬送部側から供給する第２の回路と、前記Ｘ−Ｙステージに付随してその配線部分が配され、Ｘ−Ｙステージ側から供給する第３の回路とを配しており、第１の回路は、転写用マスクを前記一体部材の形態とし、マガジンまでの所定の搬入経路およびマガジンからの所定の搬出経路において、第２の回路は、前記搬送部にて搬送する経路において、第３の回路は、Ｘ−Ｙステージで移動する経路において、それぞれ、チャックの静電吸着用の電圧を供給するものであることを特徴とするものであり、前記搬入経路は、前記搬入経路は、転写用マスクを前記一体部材とするための操作の助けとなるセット部からマガジンまでの経路であることを特徴とするものである。
また、上記いずれかの転写用マスクのＩＰ測定用の測定装置であって、測定部は、ＣＣＤカメラを撮像装置として備え、且つ、ＣＣＤカメラにより撮像された画像に対し画像処理を施し、各位置を把握する画像処理部を備えていることを特徴とするものである。
また、請求項２ないし４のいずれか１項に記載の転写用マスクのＩＰ測定用の測定装置であって、前記搬送部は、腕部が伸縮する搬送用ホークと、該搬送用ホークの方向を回転移動させる回転部とを備えた自動搬送部（搬送ロボットとも言う）であり、搬送用ホークには、第２の回路の配線部部分が配され、該配線部分を経由してチャックに電圧を供給するものであることを特徴とするものである。
【００１２】
また、上記いずれかの転写用マスクのＩＰ測定用の測定装置であって、前記一体部材は、転写用マスクとこれを保持するチャックとこれらを載置するためのアダプタとの３つを一体としたもので、転写用マスクをその主面側にて静電吸着方式のチャックで保持して、転写用マスク全体を吊り下げ、且つ、チャックがアダプタの上に載置されているものであり、少なくとも１つ以上の回路が、いずれも、アダプタの下面側にて前記電源側と接続し、アダプタの面方向に沿って配設されてその側面にいたる配線部を有するもので、且つ、前記配線部を介して、チャックの側面側にてチャックの電極と接続しており、また、前記各回路の接続、遮断を行うための、取り外しができる接続部を、アダプタの下面に設けていることを特徴とするものである。
転写用マスクの主面とは、ここでは、パターンの転写形成に寄与する側の面を意味し、単にパターン面とも言うが、ＥＰＬマスクの場合は、このような形態でＩＰ測定される。  図５に示すＥＰＬマスク２７０の場合は、ストラット２７２側でないメンブラン２７１の一面が主面に相当する。
尚、ＬＥＥＰＬ方式の場合は、先にも述べたように、図１２（ａ）に示すような露光転写装置にて電子銃５１０から放出された電子ビーム５１５を用いて、レジスト塗布済みウエハ５６０へ転写用マスク５７０のパターンが転写されるが、ここでは、転写用マスクの主面はメンブラン５７１のレジスト塗布済みウエハ５６０側の一面である。
尚、図５、図１２は、ともに、図の上側を天側、下側を地側として示している。
【００１３】
本発明の静電吸着方式のチャックへの静電吸着用電圧の供給方法は、荷電粒子線転写装置、極端紫外線転写装置、Ｘ線縮小投影転写装置の中から選ばれたいずれか１の露光転写装置において静電吸着方式のチャックで保持して用いられる転写用マスクを、所定の静電吸着方式のチャックで保持して、そのＩＰ（Ｉｍａｇｅ  Ｐｌａｃｅｍｅｎｔ）測定を行うＩＰ測定装置における、チャックへの静電吸着用電圧の供給方法であって、静電吸着用として、前記所定の静電吸着方式のチャックへ所定の電圧を供給する電圧供給用の電源を設け、電源からチャックに電圧を供給する回路を２以上設け、各回路が、それぞれ、チャック搬送経路全体の各所定の経路において、電圧供給を分担し、搬送経路全体において電圧を供給し続けるもので、回路の電圧供給分担が変わる前記各所定の経路の交点箇所において、該交点箇所の前後を分担する２つの回路からの電圧供給をオーバラップさせることを特徴とするものである。
そして、上記の静電吸着方式のチャックへの静電吸着用電圧の供給方法であって、電圧供給用の電源を１つとし、該電源から各回路へ電圧を供給するものであることを特徴とするものである。
【００１４】
（作用）
本発明のマスクのＩＰ測定装置は、このような構成にすることにより、静電吸着方式のチャックで保持されて露光転写装置に用いられる転写用マスクを、所定の静電吸着方式のチャックで保持して、そのＩＰ測定を行うＩＰ測定装置であって、静電吸着用の高電圧をかけた状態を維持し続けて、前記所定の静電吸着方式のチャックにて転写用マスクを吸着保持し続け、人手を用いずに自動で、一連のＩＰ測定のための作業を行うことができるＩＰ測定装置の提供を可能としている。
特に、そのようなＩＰ測定装置で、ＥＰＬマスクのＩＰ測定を再現性良く行うことができるＩＰ測定装置の提供を可能としている。
これにより、転写用マスクを所定の静電吸着方式のチャックで吸着保持した状態を維持したまま、人手を用いずに自動で問題なく一連のＩＰ測定のための作業を終えることができるものとし、更には、ＩＰ測定時の静電方式による吸着状態を維持したままで、その後、転写を行うことを可能にしている。
具体的には、転写用マスクとこれを保持する所定の静電吸着方式のチャックとの２つを一体とした、あるいは、前記２つとこれらを載置するためのアダプタとの３つを一体とした、一体部材の形態を維持しながら、全ての作業動作を行うもので、静電吸着用として、前記チャックへ所定の電圧を供給する電圧供給用の電源を設け、電源からチャックに電圧を供給する回路を、複数配し、各回路は、それぞれ、チャックが移動する全経路の一部で、チャックへの静電吸着用の電圧の供給を分担し、あわせて、全経路に渡り、チャックの静電吸着用の電圧を供給し続けるものであることにより、更に具体的には、前記一体部材をその上に載置する位置制御されたＸ−Ｙステージと、前記Ｘ−Ｙステージの位置を移動して、Ｘ−Ｙステージ上に前記一体部材の形態で載置された転写マスクの各位置のＩＰ測定を行う測定部と、複数の前記転写用マスクを、それぞれ別個に、前記一体部材の形態で、トレイ（ホルダー）に載置しておくためのマガジンと、マガジン側からＸ−Ｙステージ側に、あるいは、Ｘ−Ｙステージ側からマガジン側に、前記転写用マスクを、一体部材の形態で搬送するための搬送部とを、備えているもので、チャックへの電圧供給用の電源を１つ設け、該電源からチャックに電圧を供給する回路として、前記トレイに付随してその配線部分が配され、トレイ側から供給する第１の回路と、前記搬送部に付随してその配線部分が配され、搬送部側から供給する第２の回路と、前記Ｘ−Ｙステージに付随してその配線部分が配され、Ｘ−Ｙステージ側から供給する第３の回路とを配しており、第１の回路は、転写用マスクを前記一体部材の形態とし、マガジンまでの所定の搬入経路およびマガジンからの所定の搬出経路において、第２の回路は、前記搬送部にて搬送する経路において、第３の回路は、Ｘ−Ｙステージで移動する経路において、それぞれ、チャックの静電吸着用の電圧を供給するものであることにより、これを達成している。
測定部としては、ＣＣＤカメラを撮像装置として備えたもので、且つ、ＣＣＤカメラにより撮像された画像に対し画像処理を施し、各位置を把握する画像処理部を備えたものが挙げられる。
また、搬送部としては、腕部が伸縮する搬送用ホークと、該搬送用ホークの方向を回転移動させる回転部とを備えた自動搬送部（搬送ロボットとも言う）で、その搬送用ホークには、第２の回路の配線部部分が配され、該配線部分を経由してチャックに電圧を供給する形態のものが挙げられるが、この場合は、電圧供給のための配線部を簡略化でき、自動搬送を容易にすることができる。
一体部材としては、転写用マスクとこれを保持するチャックとこれらを載置するためのアダプタとの３つを一体としたもので、転写用マスクをその主面側にて静電吸着方式のチャックで保持して、転写用マスク全体を吊り下げ、且つ、チャックがアダプタの上に載置されているものであって、少なくとも１つ以上の回路が、いずれも、アダプタの下面側にて前記電源側と接続し、アダプタの面方向に沿って配設されてその側面にいたる配線部を有するもので、且つ、前記配線部を介して、チャックの側面側にてチャックの電極と接続しており、また、前記各回路の接続、遮断を行うための、取り外しができる接続部を、アダプタの下面に設けている形態のものが挙げられる。
このような形態とすることにより、回路の切り替えを、一体部材を載置する搬送部やステージやマガジン等の載置部において、アダプタの下面側にて、人手を用いずに自動で行うことを可能としている。
この形態を採る転写用マスクとしては、ＥＰＬマスクが挙げられるが、これに限定はされない。
【００１５】
本発明の静電吸着方式のチャックへの静電吸着用電圧の供給方法は、このような構成にすることにより、チャックの静電吸着に数百Ｖ〜２ｋＶ程度の高電圧を連続的にかけた状態を確実に維持したまま、問題なく一連のＩＰ測定のための作業を終えることを可能としている。
また、このような静電吸着用電圧の供給方法を採ることにより、ＩＰ測定時の静電吸着方式による吸着状態を維持したまま、更にその後、露光転写装置において転写を行うことを可能にしている。
【発明の効果】
【００１６】
本発明は、このように、静電吸着方式のチャックで保持されて露光転写装置に用いられる転写用マスクを、所定の静電吸着方式のチャックで保持して、そのＩＰ測定を行うＩＰ測定装置であって、静電吸着用の高電圧をかけた状態を維持し続けて、前記所定の静電吸着方式のチャックにて転写用マスクを吸着保持し続け、人手を用いずに自動で、一連のＩＰ測定のための作業を行うことができるＩＰ測定装置の提供を可能とした。
特に、そのようなＩＰ測定装置で、ＥＰＬマスクのＩＰ測定を再現性良く行うことができるＩＰ測定装置の提供を可能とした。
また、静電吸着方式のチャックで保持されて露光転写装置に用いられる転写用マスクを、所定の静電吸着方式のチャックで保持して、そのＩＰ測定を行うＩＰ測定装置における、チャックへの静電吸着用電圧の供給方法で、チャックの静電吸着に数百Ｖ〜２ｋＶ程度の高電圧を連続的にかけた状態を確実に維持したまま、問題なく静電吸着方式のチャックへの静電吸着用電圧の供給ができる、供給方法の提供を可能とした。
これにより、ＩＰ測定時の静電吸着方式による吸着状態を確実に維持したままで、更にその後、露光転写装置において転写を行うことを可能にした。
本発明の副次的効果は、極端紫外線転写装置で用いられる転写用マスクの搬送において生じる。
前記転写用マスクのＩＰ測定に際して転写用マスクのチャックへの吸着後に、転写用マスクとチャックとの間に規定の大きさ以上の異物の挟み込みが無いことが、転写用マスクのパターン面の高さ計測などで確認できたならば、本発明によると、転写マスクのその後の搬送における異物の新たな挟み込みは生じないので、異物の挟み込みに起因するパターン位置ずれの生じない露光転写が実現される。
【発明を実施するための最良の形態】
【００１７】
本発明の実施の形態例を挙げ、図に基づいて説明する。
図１は本発明の転写用マスクのＩＰ測定装置におけるＥＰＬマスクの搬送経路とチャックへの電圧供給用回路の構成を説明するための概略図で、図２はＩＰ測定するための装置構成の１例を示した図で、図３（ａ）〜図３（ｃ）は各位置における状態を示した図で、図４はマガジン内の状態を示した図で、図７はＥＰＬマスクの静電吸着の許される領域を説明するための図で、図８はチャックへの電圧の印加を説明するための図で、図９（ａ）、図９（ｂ）はそれぞれアダプタから各回路への接続方法を説明するための図である。
尚、図２〜図４、図９は、図５、図６、図１０、図１２もそうであるが、ともに、図の上側を天側、下側を地側として示している。
図１〜図４、図７〜図９中、１０はブース、２０はＸ−Ｙステージ、３０は自動搬送部（搬送ロボットとも言う）、３１は搬送用ホーク、３１ａは腕部、３２は回転軸部、４０はマガジン、４１はトレイ（ホルダーとも言う）、５０はセット部、５５はセット台、６０は電源（定電圧電源）、６１は第１の回路、６２は第２の回路、６３は第３の回路、６１ａ〜６３ａはスイッチ、８０は（ＥＰＬマスクとチャックとアダプタを含む）一体部材、１１０は測定部、１１１は光源、１１２はスプリッタ、１１３はレンズ系、１１４はＣＣＤカメラ、１１５は画像処理部、１４５は軸受け、１５０はレーザ干渉計、１５５はレーザ光、１６０は定盤、１６５は防振器、１７０はＥＰＬマスク、１７１はメンブラン、１７２はストラット、１７７はパタン領域用開口部、１７８は静電吸着領域、１８０はチャック、１８１は電極、１８２は配線、１８４は脚部、１９０はアダプタ、１９１はソケット方式接続部（単にソケットとも言う）、１９１ａ、１９１ｂは端子、１９２はばね方式接続部、１９２ａ、１９２ｂは端子、１９２ｃはばね、１９５、１９５ａはアダプタ受けである。
【００１８】
本発明の転写用マスクのＩＰ測定装置の実施の形態の１例を図１、図２、図４に基づいて説明する。
本例の転写用マスクのＩＰ測定装置は、ＥＰＬマスク１７０とこれを保持する静電吸着方式のチャック１８０と、これらを載置するためのアダプタ１９０との３つを一体とした、一体部材（図１および図２の８０）の形態を維持しながら、全ての作業動作を行うもので、図１に示すように、静電吸着用として、チャック１８０へ所定の電圧を供給する電圧供給用の電源６０を設け、該電源からチャックに電圧を供給する回路として、第１の回路６１、第２の回路６２、第３の回路６３の３つを配し、各回路は、それぞれ、チャックが移動する全経路の一部で、チャックへの静電吸着用の電圧の供給を分担し、あわせて、全経路に渡り、チャックの静電吸着用の電圧を供給し続けるもので、これにより、ＥＰＬマスク１７０を保持するチャック１８０に、静電吸着用の高電圧をかけた状態を維持し続けて、該チャック１８０にてＥＰＬマスク１７０を吸着保持し続け、人手を用いずに自動で、一連のＩＰ測定のための作業を行うことができるものとしており、特に、ＥＰＬマスクのＩＰ測定を再現性良く行うことができるものとしている。
更に詳しくは、本例の転写用マスクのＩＰ測定装置は、ＥＰＬマスクを、ストラット側に対向する側のメンブラン側にて、静電チャック方式のチャックで固定して、ＥＰＬマスク全体を吊り下げた状態でＩＰ測定を行うＩＰ測定装置で、図２に示すように、アダプタ１９０をその上に保持し、該アダプタ１９０を介してＥＰＬマスク１７０を保持したチャック１８０を載置する、位置制御されたＸ−Ｙステージ２０と、Ｘ−Ｙステージ２０の位置を移動して、Ｘ−Ｙステージ２０上にチャック１８０にて保持されたＥＰＬマスク１７０の各位置のストラット領域に設けられた位置測定用のマーク（図６の２７５）のＩＰ測定を行う測定部１１０と、複数のＥＰＬマスク１７０を、それぞれ別個に、図４に示すように、Ｘ−Ｙステージ２０へのチャック１８０固定用のアダプタ１９０と一体として、アダプタ１９０側にてトレイ（図１および図４の４１）に載置しておくためのマガジン（図１、図４の４０）と、図１に示すようにマガジン４０側からＸ−Ｙステージ２０側に、あるいは、Ｘ−Ｙステージ２０側からマガジン４０側に、マスク、チャック、アダプタを一体の状態で搬送するための搬送用ホーク３１を有する自動搬送部（搬送ロボット）からなる搬送部３０とを、備えているものである。
そして、静電吸着式のチャック１７０への電圧供給用の１つの電源（図１の６０）設け、該電源６０からアダプタ１９０を経由してチャック１８０に電圧を供給する回路として、トレイ（図１、図４の４１）に付随してその配線部分が配され、トレイ４１側から供給する第１の回路６１と、搬送部３０の搬送用ホーク３１に付随してその配線部分が配され、搬送用ホーク３１側から供給する第２の回路６２と、Ｘ−Ｙステージ２０に付随してその配線部分が配置され、Ｘ−Ｙステージ２０側から供給する第３の回路６３とを配しており、第１の回路６１は、セット部５０において、トレイ４１にセットして、つまり、一体部材８０の状態で、マガジン４０に置くまでの経路において、第２の回路６２は、一体部材８０の状態で、搬送部３０の搬送用ホーク３１にて搬送する経路において、第３の回路６３は、ＥＰＬマスク１７０がチャック１８０に保持され、且つ、チャック１８０がアダプタ１９０により保持された状態で、Ｘ−Ｙステージ２０で移動する経路において、それぞれ、チャック１８０へ静電吸着用の電圧を供給するものである。
【００１９】
図１に基づいて、本例の転写用マスクのＩＰ測定装置におけるＥＰＬマスクの搬送経路を以下簡単に説明しておく。
尚、以下の説明を以って、本発明の静電吸着方式のチャックへの静電吸着用電圧の供給方法の実施の形態例の説明に代える。
はじめに、ＥＰＬマスクのＩＰ測定までの搬送経路と搬送形態等を説明する。
先ず、図１に示すセット部５０にて、図３（ａ）に示すように、ＥＰＬマスク１７０を、そのメンブラン１７１側を下にして、メンブラン１７１側で静電吸着方式でチャク１８０上に固定する。
そして、更に、図３（ｂ）に示すように、ＥＰＬマスク１７０を静電吸着しているチャック１８０の上下向きを反対にして、その脚部１８４にて、トレイ４１に設けられたアダプタ受け１９５ａに載置されたアダプタ１９０に固定する。
次いで、図４に示すように、一体部材８０をトレイ４１に載置した状態のまま、マガジン４０内の所定の段にセットする。
次いで、図１に示すロボットからなる搬送部３０の腕３１ａの伸縮移動、上下移動、あるいはその回転移動を制御して、搬送用ホーク３１によりアダプタ（図２の１９０）の下部側でマガジン４０から一体部材８０を取り出し、同様に、搬送部３０の腕３１ａの伸縮移動、上下移動、あるいはその回転移動を制御して、搬送用ホーク３１によりアダプタ（図２の１９０）を、図２に示すように、Ｘ−Ｙステージ２０のアダプタ受け１９５に載せて、同様に搬送部３０を制御して、搬送用ホーク３１を該Ｘ−Ｙステージ２０から離す。  一体部材８０のＸ−Ｙステージ２０上の状態を示したのが図３（ｃ）である。
このようにして、ＥＰＬマスクは搬送され、この状態で、図２に示す測定部１１０にて、ＩＰ測定が行われる。
レーザ干渉計にてそのＸ−Ｙ位置が管理されているＸ−Ｙステージ２０上のＥＰＬマスク１７０のＩＰ測定用マーク（図６の２７５）をＣＣＤカメラにより反射光により撮像し、得られた撮像画像を画像処理することにより、前記ＩＰ測定用マークの位置が測定される。
先にも述べたように、ここでは、ＩＰ測定用マークの位置測定をＩＰ測定と言う。
ＩＰ測定後は、同様に搬送部３０を制御してＸ−Ｙステージ２０からマガジン４０まで、一体部材８０のまま搬送され、更にこの後、一体部材８０のままの状態で、人手によりセット部５０のセット台５５に戻される。
この状態は、先に述べた図３（ｂ）と同じである。
そして、この後、ＥＰＬマスク１７０とチャック１８０とは静電吸着したままの状態で、図１０に示す転写装置に供され、ウエハへの転写処理が行われる。
このようにして、ＩＰ測定時の静電方式による吸着状態を維持したまま、更にその後、ＥＰＬ方式の転写を行うことにより、ＩＰ測定の結果得られたデータに基づき転写時に電磁気的に補正をかけ、所望の転写位置精度を得ることができる。
【００２０】
このような、長く、複雑な経路をチャックでメンブラン面を吸着保持し、更にチャックをアダプタに保持させた状態を維持したまま、ＩＰ測定までの作業をスムーズに搬送できるようにするため、本例のＥＰＬマスクのＩＰ測定装置においては、先にも述べたように、静電吸着式のチャック１７０への電圧供給用の１つの電源６０設け、該電源６０からアダプタ１９０を介してチャック１８０に電圧を供給する回路として、トレイ４１に付随して配され、トレイ４１側から電圧を供給する第１の回路６１と、搬送部３０の搬送用ホーク３１に付随して配され、搬送用ホーク３１側から供給する第２の回路６２と、Ｘ−Ｙステージ２０に付随して配置され、Ｘ−Ｙステージ２０側から供給する第３の回路６３とを配している。
第１の回路６１は、セット部５０において、ＥＰＬマスク１７０が保持されたチャック１８０をアダプタ１９０を介してトレイ４１にセットした後、一体部材８０をセット部５０からマガジン４０に搬入する、あるいは、マガジン４０からセット部５０へ搬出する経路において、第２の回路６２は、マガジン４０側からＸ−Ｙステージ２０側に、あるいは、Ｘ−Ｙステージ２０側からマガジン４０側に、一体部材８０の状態で、搬送部３０の搬送用ホーク３１にて搬送する経路において、第３の回路６３は、一体部材８０の状態で、Ｘ−Ｙステージ２０で移動する経路において、それぞれ、チャック１８０の静電吸着用の電圧を供給するものである。
本例においては、図１に示すように、電源６０にいたる各回路には、それぞれ、スイッチ６１ａ、６２ａ、６３ａを備えている。
そして、本例においては、図９に示すように、第１の回路６１、第２の回路６２、第３の回路６３は、いずれも、アダプタ１９０の下面側にて電源６０側と接続し、アダプタ１９０の面方向に沿い配設され、その側面にいたる配線部１８２を有するもので、配線部１８２を介して、チャック１８０の側面側にてチャック１８０の電極１８１と接続しているもので、且つ、各回路の接続、遮断を行うための、取り外しができる接続部を、アダプタ１９０の下面側に設けている。
図９（ａ）に示すように、第１の回路６１、第３の回路６３はアダプタ１９０とソケット１９１を介して接続が行われ、また、第２の回路６２は搬送用ホーク面に設けられたばね式の端子１９２ｃとアダプタ１９０の端子１９２ｂとで接続が行われる。
これらの、接続は人手を用いずに、一体部材の搬送動作や載置動作に伴い自動で行うものである。
ここでは、接続部は、ソケット方式接続部１９１と、ばね方式接続部１９２の２つであるが、基本的には、第１の回路６１、第２の回路６２、第３の回路６３の順に、またはこの逆の順に接続が行われるため、接続部は２つで良い。
尚、図９（ａ）は搬送用ホーク３１上に一体部材８０を載置している状態を示している。
このような、接続方法に代え、図９（ｂ）に示すように、第１の回路６１、第２の回路６２、第３の回路６３をアダプタ１９０とソケット方式接続部１９１で接続しても良く、あるいは、ばね方式接続部１９２を２つ用いても良い。
接続方式としては、安全で、接続、遮断の作業が一体部材の搬送動作や載置動作に伴い自動で行うことが容易にできるものであればこれらに限定されない。
【００２１】
静電吸着式のチャックへの電圧の印加について、簡単に説明しておく。
ＥＰＬマスクの静電吸着の許される領域１７８は、図７に示すように、図１１に示すパターン領域４７３の外側の領域である。
この静電吸着の許される領域１７８に対応して、図８に示すようにチャック１８０に、電極を分離して、電圧が印加される。
尚、図９に示す電極は、このような分離された電極の１つを示したものであり、本例においては、各電極に対して、図９と同様の配線、接続形態がとられる。
図８は第１の回路６１による印加を示しているが、先に述べたように各経路の交点箇所においては、回路の変更に先たち、対応する２回路にてオーバラップして印加する。
例えば、チャックがマガジン内から搬送用ホーク３１へ移動する際には、第１の回路６１と第２の回路６２とをオーバラップして接続するが、これは、図９（ａ）において、更に、端子１９１ａと１９１ｂとを接続した状態である。
勿論、スイッチ６１ａ、６１ｂは接続状態である。
本例では１つの電源６０を電圧供給用の定電圧源として用いて回路を形成しているので、各回路をオーバラップして印加する際に、各回路間での電位差はなく、回路の切り替えをスムーズにできる。
また、スイッチ６１ａ、６２ａ、６３ａを適当に用いることにより、作業をより簡単に安全なものとできる。
【００２２】
上記、本例の転写用マスクのＩＰ測定装置は１例で、本発明はこれに限定はされない。  本例では、図１に示すように、空調の良い室内（クリーンルーム）内に、更に空調を高度に制御できるブース１０を設けて、本例のＥＰＬマスクのＩＰ測定装置の主要部をその中に配しており、このブース１０内において一連のＩＰ測定のための作業は行われるが、高度な空調の管理がうまくでき、一連のＩＰ測定のための作業がスムーズにできれば、このような、形態に限定はされない。
各回路からチャックへの接続方法は、種々、考えられるが、本例の接続方法は、比較的簡単に、その実施を可能とするものである。
本例では、電源（図１の６０）からチャック１８０へ静電吸着用電圧を供給する回路を、第１の回路６１、第２の回路６１、第３の回路６３の３つとし、それぞれ分担する経路を持たせたが、勿論、回路の数や分担する経路は、本例のものに限定はされない。
例えば、電源を３個用意し、第１から第３の回路のそれぞれに接続し、それらの回路を適宜切り代える方式を採用してもよい。
また、本例は、ＥＰＬ方式の荷電粒子線転写装置において静電吸着方式のチャックで保持して用いられる転写用マスクを、ＩＰ測定の対象としたＩＰ測定装置であるが、本発明を、ＬＥＥＰＬＥ方式の荷電粒子線転写装置や、極端紫外線転写装置、Ｘ線縮小投影転写装置等の露光転写装置において静電吸着方式のチャックで保持して用いられる転写用マスクをＩＰ測定の対象としたＩＰ測定装置にも適用できることは言うまでもない。
また、所望の測定精度が得られ、作業性の面等でも問題がない搬送方法や、回路の接続方法を採ることができれば、転写用マスクとこれを保持する前記所定の静電吸着方式のチャックとの２つを一体とした、一体部材の形態を維持しながら、全ての作業動作を行う形態を採ってもよい。
勿論、この場合、チャックへの電圧供給の接続の形態は、本例とは、異ならせることが必要である。
【図面の簡単な説明】
【００２３】
【図１】本発明の転写用マスクのＩＰ測定装置におけるＥＰＬマスクの搬送経路とチャックへの電圧供給用回路の構成を説明するための概略図である。
【図２】ＩＰ測定するための装置構成の１例を示した図である。
【図３】図３（ａ）〜図３（ｃ）は各位置における状態を示した図である。
【図４】マガジン内におけるＥＰＬマスクの状態を示した図である。
【図５】ＥＰＬ方式の転写におけるＥＰＬマスクとチャックとの関係を示した図である
【図６】図６（ａ）、図６（ｂ）はそれぞれＥＰＬマスクのＩＰ測定の形態を示した図である。
【図７】ＥＰＬマスクの静電吸着の許される領域を説明するための図である。
【図８】チャックへの電圧の印加を説明するための図である。
【図９】図９（ａ）、図９（ｂ）はそれぞれアダプタから各回路への接続方法を説明するための図である。
【図１０】ＥＰＬ方式の転写装置の概略図である。
【図１１】図１１（ａ）はＥＰＬマスクをストラット側からみた概略図で、図１１（ｂ）はストラット部を拡大して示した図である。
【図１２】図１２（ａ）はＬＥＥＰＬ方式の露光転写装置と転写用マスクの保持形態とを示した概略図で、図１２（ｂ）はＬＥＥＰＬマスクのＩＰ測定の形態を示した図である。
【符号の説明】
【００２４】
１０                  ブース
２０                  Ｘ−Ｙステージ
３０                  自動搬送部（搬送ロボットとも言う）
３１                  搬送用ホーク
３１ａ                腕部
３２                  回転軸部
４０                  マガジン
４１                  トレイ（ホルダーとも言う）
５０                  セット部
５５                  セット台
６０                  電源（定電圧電源）
６１                  第１の回路
６２                  第２の回路
６３                  第３の回路
６１ａ〜６３ａ        スイッチ
８０                （ＥＰＬマスクとチャックとアダプタを含む）一体部材
１１０                測定部
１１１                光源
１１２                スプリッタ
１１３                レンズ系
１１４                ＣＣＤカメラ
１１５                画像処理部
１４５                軸受け
１５０                レーザ干渉計
１５５                レーザ光
１６０                定盤
１６５                防振器
１７０                ＥＰＬマスク
１７１                メンブラン
１７２                ストラット
１７８                静電吸着の許される領域
１８０                チャック
１８１                電極
１８２                配線
１８４                脚部
１９０                アダプタ
１９１                ソケット方式接続部（単にソケットとも言う）
１９１ａ、１９１ｂ    ソケット方式接続部
１９２                ばね方式接続部
１９２ａ、１９２ｂ    端子
１９２ｃ              ばね
１９５、１９５ａ      アダプタ受け
２２０                電子ビーム
２２５                測定光
２７０                ＥＰＬマスク
２７１                メンブラン
２７２                ストラット
２７５                ＩＰ測定用マーク
２８０                チャック
２８１                電極
２８５                固定部材
３１１                電子銃
３１２ａ              照射レンズ系
３１２ｂ              投影レンズ系
３１３、３１３ａ      コンデンサレンズ
３１４                チャック
３１５                支持部材
３１６                マスクステージ
３１７                ウエハステージ
３１８                定盤
３２１、３２１ａ      真空ポンプ
３２２、３２２ａ      レーザ干渉計
３２５                電子ビーム
３５０                レジスト塗布済みウエハ
３７０                ＥＰＬマスク
３７１                メンブラン
３７２                ストラット
４７０                ＥＰＬマスク
４７１                メンブラン
４７２                ストラット
４７３                パターン領域
４２０                電子ビームの方向
５１０                電子銃
５１５                電子ビーム
５２０                レンズ
５３０                アパーチャ
５４０、５４５        主偏向器
５５０、５５５        副偏向器
５６０                レジスト塗布済みウエハ
５７０                転写用マスク
５７１                メンブラン
５７２                支持部材
５８０                チャック
５８５                電極
５９０                測定光
【図１】
2006093403.tif 000003
【図２】
2006093403.tif 000004
【図３】
2006093403.tif 000005
【図４】
2006093403.tif 000006
【図５】
2006093403.tif 000007
【図６】
2006093403.tif 000008
【図７】
2006093403.tif 000009
【図８】
2006093403.tif 000010
【図９】
2006093403.tif 000011
【図１０】
2006093403.tif 000012
【図１１】
2006093403.tif 000013
【図１２】
2006093403.tif 000014